(57)【要約】【課題】外部コンデンサの放電電流を用いて主回路遮断動作を行うことにより、事故電流の大きさに関係なく主回路遮断動作の一貫性が保証されるようにした高速スイッチを提供する。【解決手段】本発明の一実施形態による高速スイッチは、ハウジング１０と、ハウジング１０の内部に設けられ、主回路に接続されて主回路を開閉する真空インタラプタ２０と、真空インタラプタ２０の可動部に結合されて接圧力を付与する接圧ばね３０と、接圧ばね３０に連結される絶縁ロッド３５と、絶縁ロッド３５の下端に連結されて開閉駆動力を付与する永久磁石アクチュエータ４０と、永久磁石アクチュエータ４０のコイル部４１、４２に放電電流を供給する第１コンデンサ４５と、永久磁石アクチュエータ４０の下端に連結される駆動コイル５０と、駆動コイル５０に放電電流を供給する第２コンデンサ５５とを含む。【選択図】図２
2015220228.tif 000002
【特許請求の範囲】
【請求項１】
ハウジングと、
前記ハウジングの内部に設けられ、主回路に接続されて前記主回路を開閉する真空インタラプタと、
前記真空インタラプタの可動部に結合されて接圧力を付与する接圧ばねと、
前記接圧ばねに連結される絶縁ロッドと、
前記絶縁ロッドの下端に連結されて開閉駆動力を付与する永久磁石アクチュエータと、
前記永久磁石アクチュエータのコイル部に放電電流を供給する第１コンデンサと、
前記永久磁石アクチュエータの下端に連結される駆動コイルと、
前記駆動コイルに放電電流を供給する第２コンデンサと、を含むことを特徴とする高速スイッチ。
【請求項２】
前記コイル部は、前記真空インタラプタに開極動作を行わせるオープンコイルと、前記真空インタラプタに閉極動作を行わせるクローズコイルとを含む、請求項１に記載の高速スイッチ。
【請求項３】
前記永久磁石アクチュエータと前記第１コンデンサとの間に設けられる永久磁石アクチュエータコントローラをさらに含み、
前記永久磁石アクチュエータコントローラは、信号伝達及び制御を行う、請求項１又は２に記載の高速スイッチ。
【請求項４】
前記駆動コイルと前記第２コンデンサとの間に設けられる駆動コイルコントローラをさらに含み、
前記駆動コイルコントローラは、信号伝達及び制御を行う、請求項１〜３のいずれか一項に記載の高速スイッチ。
【請求項５】
前記駆動コイルの下方に備えられ、前記駆動コイルの磁力により発生する電磁反発力により垂直移動する反発板をさらに含む、請求項１〜４のいずれか一項に記載の高速スイッチ。
【請求項６】
前記真空インタラプタの開極動作時、前記反発板の反発力により前記主回路が再閉路されることを防止するために、前記第１コンデンサから前記オープンコイル部に放電電流を供給する、請求項５に記載の高速スイッチ。
【請求項７】
前記主回路と前記永久磁石アクチュエータコントローラ及び前記駆動コイルコントローラとの間に備えられるセンサ部をさらに含み、
前記センサ部は、前記主回路から発生する信号を前記永久磁石アクチュエータコントローラ及び前記駆動コイルコントローラに伝達できる、請求項４〜６のいずれか一項に記載の高速スイッチ。
【請求項８】
前記第１コンデンサ及び前記第２コンデンサは、前記ハウジングの内部又は外部に設けられる、請求項１〜７のいずれか一項に記載の高速スイッチ。
【発明の詳細な説明】
【技術分野】
【０００１】
本発明は、限流器の構成部品である高速スイッチに関し、特に、外部コンデンサの放電電流を用いて主回路遮断動作を行うことにより、事故電流の大きさに関係なく主回路遮断動作の一貫性が保証されるようにした高速スイッチに関する。
【背景技術】
【０００２】
一般に、限流器（Fault Current Limiter）は、電力系統に大きな故障電流が発生した場合に事故電流（Fault Current）を高速に抑制して系統を保護する電力機器である。すなわち、電力系統に大きな故障電流が発生した場合、短時間で事故電流を適正値以下に抑制することにより、電力機器の機械的、熱的ストレスを低減し、電力系統の信頼度を向上させる装置である。
【０００３】
このような限流器を一般的な遮断器と比較すると次の通りである。故障電流が発生した場合、限流器は故障を高速に検出して抵抗（インピーダンス）を投入するのに対し、遮断器は遮断動作により故障が発生した線路を電力系統から分離又は排除する。また、限流器の限流動作にかかる時間は通常１６ｍｓ以内であるのに対し、遮断器の遮断動作にかかる時間は通常８５ｍｓ〜１２０ｍｓである。さらに、限流器には故障時に発生する機械的、熱的ストレスを低減して低電圧を補償する回路が備えられているが、遮断器にはそのような機能がないのが普通である。
【０００４】
高品質の電力が求められて電源が大容量化するにつれて、前述したような利点を有する限流器が好まれている。
【０００５】
このような限流器の主要部品としては、高速故障検出装置（Fast Fault Detector; FFD）、高速スイッチ（Fast Switch; FS）及び限流抵抗器（Current Limiting Resistor; CLR）がある。
【０００６】
高速故障検出装置は、系統に発生する故障を高速に検出する装置であって、所定の電流値を超える電流が流入するとそれを検知して高速スイッチ制御装置に信号を送る装置である。
【０００７】
高速スイッチは、通電及び故障電流の迂回を担当する主回路接点と駆動部とから構成され、故障電流を当該高速スイッチに並列接続された限流抵抗器の回路に迂回させる装置である。
【０００８】
限流抵抗器は、正常状態では通電せず、限流器が故障を検知して高速スイッチを開放することによって故障電流が流入するとその故障電流の大きさを当該限流抵抗器自体の抵抗により制限する装置である。
【０００９】
図４Ａ及び図４Ｂは限流器の原理を説明するための図であり、図４Ａには限流器が設置される前の回路、すなわち遮断器のみ設置された回路を示し、図４Ｂには限流器と遮断器が共に設置された回路を示す。限流器が設置された場合、正常状態では、正常電流ａが遮断器１０１を経て直ちに負荷機器１０２に流れるのに対し、故障が発生すると、限流器１０３により高速スイッチ１０４が開放され、事故電流ｂが限流抵抗器１０５に迂回して負荷機器１０２に流れる。
【００１０】
つまり、限流器の構成部品である高速スイッチは、電力系統に発生する事故電流を効果的に制御するために限流抵抗器に並列接続されており、事故電流発生時に短時間で事故電流を限流抵抗器に迂回させて電力系統を保護する開閉機構である。
【００１１】
図５は従来技術による限流器の構成図である。従来技術による限流器は、電力系統の電源供給線路に直列に接続される超電導素子１と、超電導素子１の後段に直列に接続される真空インタラプタ２と、真空インタラプタ２の後段に直列に接続されて電力系統の電源供給線路を負荷に接離して回路開閉を行う回路遮断器８と、電力系統の電源供給線路への正常電流通電時に真空インタラプタ２の可動接触子２ｂに接圧力を付与する永久磁石アクチュエータ３と、永久磁石アクチュエータ３の可動子３ａと同期して移動可能に接続される可動接点５ｂを有する高速スイッチ５と、超電導素子１のクエンチ時に事故電流により磁化して高速スイッチ５を閉路（通電）位置に駆動すると共に永久磁石アクチュエータ３により真空インタラプタ２を開路（通電遮断）位置に駆動する駆動コイル４とを含む。
【００１２】
従来技術による限流器の動作について説明すると次の通りである。
【００１３】
まず、正常状態の場合、回路の通電電流は、電源側線路から流入し、無抵抗状態の超電導素子１、真空インタラプタ２及び回路遮断器８を介して負荷に流出する通電経路Ａを流れる。
【００１４】
また、回路に短絡電流が発生した場合、超電導素子１の抵抗が急激に上昇し、電流は、クエンチ状態の超電導素子１より抵抗が小さく、超電導素子１に並列に接続された駆動コイル４、限流抵抗７及び回路遮断器８を介して負荷に流出する通電経路Ｂを流れる。このとき、駆動コイル４に発生する磁力により反発板４ａが垂直移動することによって、真空インタラプタ２は可動接触子２ｂと固定接触子２ａとが分離し、高速スイッチ５は可動接点５ｂと固定接点５ａとが接触する。これにより、通電経路Ｂを流れていた短絡電流は、閉路された高速スイッチ５、限流抵抗７及び回路遮断器８を介して負荷に流出する通電経路Ｃを流れるようになる。
【００１５】
本発明の先行技術として、特許文献１（発明の名称：超電導素子を用いたハイブリッド限流器）及び２（発明の名称：永久磁石型アクチュエータ及びそれを備えた回路遮断器）が開示されている。
【先行技術文献】
【特許文献】
【００１６】
【特許文献１】韓国登録特許第１０−０９５５３７３号公報
【特許文献２】韓国登録特許第１０−０９０９４２４号公報
【発明の概要】
【発明が解決しようとする課題】
【００１７】
しかし、従来技術においては、開路動作時に故障電流（短絡電流）を用いるので、故障電流の大きさによって動作速度が異なり、動作の完了のために故障電流の適正範囲が存在するという限界があった。すなわち、故障電流が小さすぎると、電磁反発力が小さいので動作しなくなる可能性があり、故障電流が大きすぎると、機械的反発力により直ちに再閉路されてしまうという問題があった。
【００１８】
本発明は、このような従来技術の問題を解決するためになされたものであり、外部コンデンサの放電電流を用いて主回路遮断動作を行うことにより、事故電流の大きさに関係なく主回路遮断動作の一貫性が保証されるようにした高速スイッチを提供することを目的とする。
【課題を解決するための手段】
【００１９】
上記目的を達成するために、本発明の一実施形態による高速スイッチは、ハウジングと、前記ハウジングの内部に設けられ、主回路に接続されて前記主回路を開閉する真空インタラプタと、前記真空インタラプタの可動部に結合されて接圧力を付与する接圧ばねと、前記接圧ばねに連結される絶縁ロッドと、前記絶縁ロッドの下端に連結されて開閉駆動力を付与する永久磁石アクチュエータと、前記永久磁石アクチュエータのコイル部に放電電流を供給する第１コンデンサと、前記永久磁石アクチュエータの下端に連結される駆動コイルと、前記駆動コイルに放電電流を供給する第２コンデンサとを含む。
【００２０】
前記コイル部は、前記真空インタラプタに開極動作を行わせるオープンコイル（open coil）と、前記真空インタラプタに閉極動作を行わせるクローズコイル（close coil）とを含むことを特徴とする。
【００２１】
前記高速スイッチは、前記永久磁石アクチュエータと前記第１コンデンサとの間に設けられる永久磁石アクチュエータコントローラをさらに含み、前記永久磁石アクチュエータコントローラは、信号伝達及び制御を行うことを特徴とする。
【００２２】
前記高速スイッチは、前記駆動コイルと前記第２コンデンサとの間に設けられる駆動コイルコントローラをさらに含み、前記駆動コイルコントローラは、信号伝達及び制御を行うことを特徴とする。
【００２３】
前記高速スイッチは、前記主回路と前記永久磁石アクチュエータコントローラ及び前記駆動コイルコントローラとの間に備えられるセンサ部をさらに含み、前記センサ部は、前記主回路から発生する信号を前記永久磁石アクチュエータコントローラ及び前記駆動コイルコントローラに伝達できることを特徴とする。
【００２４】
前記第１コンデンサ及び前記第２コンデンサは、前記ハウジングの内部又は外部に設けられることを特徴とする。
【発明の効果】
【００２５】
本発明の一実施形態による高速スイッチにおいては、ハウジングの内部又は外部に設けられる第１及び第２コンデンサから発生する放電電流により開極動作及び閉極動作を行うので、主回路を遮断する際に故障電流の大きさに関係なく一定の回路遮断動作を実現できるという効果がある。
【００２６】
また、第１及び第２コンデンサの容量や充電電圧などを調節できるので、ユーザ所望の動作速度で遮断動作を行えるという効果がある。
【００２７】
さらに、機械式メカニズムの高速スイッチに比べて駆動時間が短いので、１／２サイクル内に事故電流を迂回させることができるという効果がある。
【図面の簡単な説明】
【００２８】
【図１】本発明の一実施形態による高速スイッチの斜視図である。
【図２】本発明の一実施形態による（真空インタラプタが閉路状態の場合の）高速スイッチの構成図である。
【図３】本発明の一実施形態による（真空インタラプタが開路状態の場合の）高速スイッチの構成図である。
【図４Ａ】限流器の原理を説明するための図であり、限流器は設置されず、遮断器のみ設置された回路を示す。
【図４Ｂ】限流器の原理を説明するための図であり、限流器と遮断器が共に設置された回路を示す。
【図５】従来技術による限流器の構成図である。
【発明を実施するための形態】
【００２９】
以下、添付図面を参照して本発明の好ましい実施形態について説明するが、これらは本発明の属する技術の分野における通常の知識を有する者が本発明を容易に実施できるように詳細に説明するためのものであり、本発明の技術的思想や範囲を限定するものではない。
【００３０】
図１は本発明の一実施形態による高速スイッチの斜視図である。図２は本発明の一実施形態による（真空インタラプタが閉路状態の場合の）高速スイッチの構成図である。図３は本発明の一実施形態による（真空インタラプタが開路状態の場合の）高速スイッチの構成図である。以下、同図を参照して本発明の一実施形態による高速スイッチについて詳細に説明する。
【００３１】
本発明の一実施形態による高速スイッチは、ハウジング１０と、ハウジング１０の内部に設けられ、主回路に接続されて主回路を開閉する真空インタラプタ２０と、真空インタラプタ２０の可動部に結合されて接圧力を付与する接圧ばね３０と、接圧ばね３０に連結される絶縁ロッド３５と、絶縁ロッド３５の下端に連結されて開閉駆動力を付与する永久磁石アクチュエータ４０と、永久磁石アクチュエータ４０のクローズコイル４１に放電電流を供給する第１コンデンサ４５と、永久磁石アクチュエータ４０の下端に連結される駆動コイル５０と、駆動コイル５０に放電電流を供給する第２コンデンサ５５とを含む。
【００３２】
ハウジング１０は、前後面が開放された箱状に形成されてもよい。ハウジング１０には、本発明の一実施形態による高速スイッチを構成する各種部品が収容される。
【００３３】
真空インタラプタ２０は、固定接点２１と、固定接点２１に接離する可動接点２２とを含む。正常電流通電時には、固定接点２１と可動接点２２が接触した状態で主回路の通電が行われる。一方、事故電流が発生した場合は、固定接点２１と可動接点２２が分離して事故電流を限流抵抗器（図示せず）に迂回させることにより事故を防止して電力系統を保護する。
【００３４】
接圧ばね３０は、真空インタラプタ２０の可動部に接圧力を付与することにより、通電性能を向上させ、開閉動作の繰り返しによる損傷を抑えて遮断動作の一貫性を維持する。
【００３５】
永久磁石アクチュエータ４０は、フレーム４４と、フレーム４４の内部に設けられるコイル部と、永久磁石４６と、クローズコイル４１及びオープンコイル４２に発生する磁力により移動する可動子４３とを含む。コイル部は、真空インタラプタ２０に閉極動作を行わせるクローズコイル４１と、真空インタラプタ２０に開極動作を行わせるオープンコイル４２とを含む。永久磁石アクチュエータ４０は、クローズコイル４１及びオープンコイル４２を含み、真空インタラプタ２０の開閉動作を行うが、開極動作時にはラッチ機能を実行して再閉路を防止し、閉極動作時には駆動力を付与する。クローズコイル４１及びオープンコイル４２には後述する第１コンデンサ４５から発生する放電電流が選択的に流れる。
【００３６】
第１コンデンサ４５は、永久磁石アクチュエータ４０のクローズコイル４１及びオープンコイル４２にそれぞれ接続されて放電電流を供給する。
【００３７】
永久磁石アクチュエータ４０と第１コンデンサ４５との間には、永久磁石アクチュエータコントローラ（Permanent Magnet Actuator Controller; PMAC）４８が設けられる。永久磁石アクチュエータコントローラ４８は、第１コンデンサ４５への信号伝達及び制御を行うようにしてもよい。例えば、永久磁石アクチュエータコントローラ４８は、第１コンデンサ４５から放電される電流がクローズコイル４１に流れるかオープンコイル４２に流れるかを決定するようにしてもよい。
【００３８】
駆動コイル５０は、反発板５３と共に、真空インタラプタ２０の開極動作に必要な駆動力を付与する。
【００３９】
第２コンデンサ５５は、駆動コイル５０に接続されて放電電流を供給する。
【００４０】
駆動コイル５０と第２コンデンサ５５との間には、駆動コイルコントローラ（Driving Coil Controller; DCC）５８が設けられる。駆動コイルコントローラ５８は、第２コンデンサ５５への信号伝達及び制御を行うようにしてもよい。
【００４１】
反発板５３は、下部可動ロッド３７の下端に設けられ、駆動コイル５０の磁力により発生する電磁反発力により垂直移動する。
【００４２】
真空インタラプタ２０の可動接点２２に結合された上部可動ロッド３６、真空インタラプタ２０と永久磁石アクチュエータ４０との間に設けられた絶縁ロッド３５、永久磁石アクチュエータ４０の可動子４３、及び永久磁石アクチュエータ４０と反発板５３との間に設けられた下部可動ロッド３７は、直列に連結されて一体に移動するようになっている。
【００４３】
本発明の一実施形態による高速スイッチは、センサ部６０をさらに含んでもよい。センサ部６０は、一端が主回路に接続され、他端が駆動コイルコントローラ５８及び永久磁石アクチュエータコントローラ４８に接続されており、信号を伝達することができる。例えば、センサ部６０は、主回路から発生した故障電流に関する信号を受信し、駆動コイルコントローラ５８及び永久磁石アクチュエータコントローラ４８に伝達することができる。また、本発明の一実施形態による高速スイッチは、外部からの手動入力信号を受信する外部入力部６５を含んでもよい。
【００４４】
以下、本発明の一実施形態による高速スイッチの動作について説明する。
【００４５】
まず、正常状態での主回路の通電のための真空インタラプタの閉極動作（投入動作）について説明する。回路に設定された時間の経過又は手動入力により第１コンデンサ４５から電流が放電される。第１コンデンサ４５から放電される電流は、永久磁石アクチュエータ４０のクローズコイル４１を流れて磁力を発生させる。クローズコイル４１から発生する磁力により可動子４３が上方に移動する。可動子４３の上方への移動により、可動子４３に直列に連結された絶縁ロッド３５及び上部可動ロッド３６が連動して上方に移動し、それにより可動接点２２が上方に移動して固定接点２１に接触する。従って、主回路が通電される。
【００４６】
このとき、接圧ばね３０は、可動接点２２に接圧力を付与することにより、固定接点２１に強く接触させると共に、繰り返し使用により可動接点２２と固定接点２１が摩耗したり圧縮された場合も安定して接触させる役割を果たす。
【００４７】
ここで、永久磁石アクチュエータ４０と第１コンデンサ４５との間に設けられた永久磁石アクチュエータコントローラ４８は、これらの間で信号伝達及び制御を担当する。つまり、センサ部６０から入力される主回路部の信号、外部入力部６５から入力される手動信号、又は内部に設定された信号により第１コンデンサ４５の電流を放出させ、第１コンデンサ４５から放出される電流の放出時間や電流量などを設定することができる。
【００４８】
次に、事故電流が発生することによって主回路を遮断して事故電流を限流抵抗器（図示せず）が接続された補助回路（図示せず）に迂回させるための真空インタラプタの開極動作（トリップ動作）について説明する。回路への事故電流の流入又は手動入力により第２コンデンサ５５から電流が放電される。第２コンデンサ５５から放電される電流は、駆動コイル５０を流れて磁力を発生させる。駆動コイル５０から発生する磁力により電磁反発力を受ける反発板５３が下方に移動する。反発板５３の移動により、反発板５３に直列に連結された下部可動ロッド３７、可動子４３、絶縁ロッド３５及び上部可動ロッド３６が連動して下方に移動し、それにより可動接点２２が固定接点２１から分離する。従って、主回路が遮断される。
【００４９】
ここで、駆動コイル５０と第２コンデンサ５５との間に設けられた駆動コイルコントローラ５８は、これらの間で信号伝達及び制御を担当する。つまり、センサ部６０から入力される主回路部の信号、又は外部入力部６５から入力される手動信号により第２コンデンサ５５の電流を放出させ、第２コンデンサ５５から放出される電流の放出時間や電流量などを設定することができる。
【００５０】
一方、トリップ動作時、反発板５３の反発力により再閉路されることを防止するために、永久磁石アクチュエータ４０のオープンコイル４２に第１コンデンサ４５から放電電流を供給することにより、可動子４３を下方に移動させる。
【００５１】
本発明の一実施形態による高速スイッチは、第１コンデンサ４５及び第２コンデンサ５５から発生する放電電流により開極動作及び閉極動作を行うので、主回路を遮断する際に故障電流の大きさに関係なく一定の回路遮断動作を実現できるという効果がある。
【００５２】
また、第１及び第２コンデンサの容量や充電電圧などを調節できるので、ユーザ所望の動作速度で遮断動作を行えるという効果がある。
【００５３】
さらに、機械式メカニズムの高速スイッチに比べて駆動時間が短いので、１／２サイクル内に事故電流を迂回させることができるという効果がある。
【００５４】
前述した実施形態は例示的なものであり、本発明の属する技術の分野における通常の知識を有する者であれば、本発明の基本的な特性を逸脱しない範囲で様々な修正や変形が可能であろう。つまり、前述した実施形態は本発明の技術思想を説明するためのものにすぎず、前述した実施形態により本発明の技術思想の範囲が限定されるものではない。本発明の権利範囲は添付の特許請求の範囲により定められるべきであり、同等の範囲内にある全ての技術思想は本発明の権利範囲に含まれるものと解釈されるべきである。
【符号の説明】
【００５５】
１０    ハウジング
２０    真空インタラプタ
２１    固定接点
２２    可動接点
３０    接圧ばね
３５    絶縁ロッド
３６    上部可動ロッド
３７    下部可動ロッド
４０    永久磁石アクチュエータ
４１    クローズコイル
４２    オープンコイル
４３    可動子
４５    第１コンデンサ
４８    永久磁石アクチュエータコントローラ（ＰＭＡＣ）
５０    駆動コイル
５３    反発板
５５    第２コンデンサ
５８    駆動コイルコントローラ（ＤＣＣ）
６０    センサ部
６５    外部入力部
【図２】
2015220228.tif 000003
【図３】
2015220228.tif 000004
【図５】
2015220228.tif 000005
【図１】
2015220228.tif 000006
【図４Ａ】
2015220228.tif 000007
【図４Ｂ】
2015220228.tif 000008